(57)【要約】【課題】  板金での補強では、形状の自由度が低く、且つ高電圧部の近くに配置できないという問題点がある。また、板金部材による補強では重量および部品点数増となっていた。【解決手段】  レンズ鏡筒と、閃光発光ユニットと、前記レンズ鏡筒の可動部を保持する地板と、前記地板が固定される第１の固定部と前記閃光発光ユニットが固定される第２の固定部とが形成されるシャーシ部材と、前記第２の固定部に対向する平面部と電子部品取付部とが形成される絶縁性材料による補強部材とを有する。【選択図】  図４
2008268653.tif 000002
【特許請求の範囲】
【請求項１】
レンズ鏡筒と、
閃光発光ユニットと、
前記レンズ鏡筒の可動部を保持する地板と、
前記地板が固定される第１の固定部と前記閃光発光ユニットが固定される第２の固定部とが形成されるシャーシ部材と、
前記第２の固定部に対向する平面部と電子部品取付部とが形成される絶縁性材料による補強部材とを有することを特徴とするカメラ。
【請求項２】
前記電子部品取付部はスピーカーの取付部であることを特徴とする請求項１に記載のカメラ。
【請求項３】
前記電子部品取付部はマイクの取付部であることを特徴とする請求項１に記載のカメラ。
【請求項４】
前記シャーシ部材には、三脚取付部材が固定される第３の固定部が形成されるとともに、前記絶縁部材には、前記第３の固定部に対向する平面部が形成されることを特徴とする請求項１ないし３のいずれか１項に記載のカメラ。
【請求項５】
前記シャーシ部材には、三脚取付部材が形成されることを特徴とする請求項１ないし３のいずれか１項に記載のカメラ。
【請求項６】
前記シャーシ部材には、ストラップ取付部材が形成されることを特徴とする請求項１ないし３のいずれか１項に記載のカメラ。
【発明の詳細な説明】
【技術分野】
【０００１】
本発明は、カメラに関するものであって、詳しくはカメラ本体の補強構造に関するものである。
【背景技術】
【０００２】
従来、レンズ鏡筒上部への負荷に対してはカメラ本体の内部に複数個の補強板金を組合わせ、強度アップを図り、カメラ本体の内部への応力緩和をしていた。これによって、レンズ鏡筒、基板など外力により破損するであろう部品を保護していた。
【０００３】
また、ファインダユニットをスペース効率よく結合するために、本体構造部材に貫通穴をあけ、ファインダユニットを組み込んだ後に、貫通穴を高強度（剛性）プラスチックや金属等の強固な材質の部材でつなぐ構造が知られている。（例えば特許文献１参照）
【特許文献１】特許第３５４８３０３号公報
【発明の開示】
【発明が解決しようとする課題】
【０００４】
しかしながら、上記従来例の板金での補強では、形状の自由度が低く、且つ高電圧部の近くに配置できないという問題点がある。また、板金部材による補強では重量および部品点数増となっていた。本発明は、上述した課題を解決し、十分な強度を保ちつつ軽量で部品点数の少ないカメラを提供することにある。
【課題を解決するための手段】
【０００５】
本発明のカメラは、レンズ鏡筒と、閃光発光ユニットと、前記レンズ鏡筒の可動部を保持する地板と、前記地板が固定される第１の固定部と前記閃光発光ユニットが固定される第２の固定部とが形成されるシャーシ部材と、前記第２の固定部に対向する平面部と電子部品取付部とが形成される絶縁性材料による補強部材とを有することを特徴とする。
【発明の効果】
【０００６】
以上説明したように、本発明によれば、十分な強度を保ちつつ軽量で部品点数の少ないカメラを提供することが可能となる。
【発明を実施するための最良の形態】
【０００７】
以下に、本発明の実施の形態を、下記実施例に基づき、図面を参照して詳細に説明する。
【０００８】
図１〜８を用いて本発明の実施形態であるデジタルカメラを説明する。
【０００９】
図１はデジタルカメラ全体図である。図１にて、１０１はレンズ鏡筒である。１０２はレリーズ釦である。１０３はレンズ鏡筒１０１のズーム操作を行うズームレバーである。１０４は電源オンするための電源レバーである。１０５は電源オフ釦である。１０６は撮影モードを切り替えるモードダイアルである。１０７は閃光発光ユニットである回動式内蔵ストロボで回転軸を中心に回動する。１０８はデジタルカメラの附属品取付座で外部ストロボなどアクセサリーを取付けるための座である。
【００１０】
図２は、図１に示したデジタルカメラの透視図である。図２にて、２０１はストロボユニット１０７の発光部である。２０２は前記ストロボ１０７の回動軸である。
【００１１】
図３は、レンズ鏡筒１０１周囲の主要部品を示す図である。図３にて、３０１は板金製のメインシャーシで、例えば材料はステンレスである。３０１ａはストロボユニット１０７が固定されるストロボユニット固定部である。３０１ｂは三脚取付部材が固定される三脚座取付部（第３の固定部）である。
【００１２】
３０２は絶縁性補強部材であり、例えば材料はガラス繊維入ポリカーボネート樹脂などの絶縁性材料である。３０３はスピーカーでリード線でメイン基板にコネクターに電気的接続されている。３０３ａは補強部材３０２の側面に備えるスピーカー３０３の取付座（電子部品取付部）で、スピーカー３０３の背面に空間を設けることでスピーカー３０３からの音圧を上げられるようにしてある。
【００１３】
図４は、図３に示したレンズ鏡筒１０１周囲の主要部品の組立図である。４０１、４０２は固定用ビスである。４０３はレンズ鏡筒１０１の可動部を保持する地板である。４０１は、地板４０３と絶縁性補強部材３０２を固定するビスである。地板４０３と絶縁性補強材３０２の接地面を同一高さの面上にすることにより、部品精度による取付位置の影響を少なくしてある。４０２は、地板４０３とメインシャーシ３０１を固定するビスである。地板４０３とメインシャーシ３０１の接地面を同一高さの面上にすることにより、部品精度による取付位置の影響を少なくしてある。ビス４０１とビス４０２は同軸上にすることで、地板４０３のビス固定用のボスの占有面積を最小にすることが出来る。
【００１４】
図４を用いて、メインシャーシ３０１と絶縁性補強材３０２の形状特徴を示す。図４の通り、メインシャーシ３０１はレンズ鏡筒１０１の上下面を覆うような、レンズ鏡筒側面から見てコの字形状をしている。また、絶縁性補強材３０２の中央部はレンズ鏡筒１０１と均一の隙間、例えば０．５ｍｍを維持した円形の開孔を備えている。補強材３０２の上下の面には前記メインシャーシ３０１のストロボユニット固定部３０１ａおよび三脚座取付部３０１ｂと平行に対向する平面部がそれぞれ形成されている。組立後、メインシャーシ３０１と僅かな隙間、例えば０．０５〜０．２ｍｍの隙間が空くように寸法設定し、補強部材３０２の取付によりメインシャーシ３０１を変形させないようになっている。
【００１５】
組立手順は、地板４０３の前面から絶縁性補強材３０２を組み付け、ビス４０１で固定するとともに、地板４０３の後面からメインシャーシ３０１を組み付け、４０２により固定する。したがって、地板４０３とメインシャーシ３０１とが接する面が地板４０３の固定部（第１の固定部）となる。
【００１６】
図５は、図４で地板４０３にメインシャーシ３０１と絶縁性補強材３０２を組み付た状態の三面図である。
【００１７】
図６は、本補強構造の説明する図である。図６において、Ｐはレンズ鏡筒１０１上部からの荷重であり、例えば内蔵ストロボ１０７、もしくは附属品取付座１０８に取付けられたアクセサリーに受けた外力である。Ｐ１、Ｐ２は前記荷重Ｐの分力で、絶縁性補強材３０２の中央部の円形の開孔により、荷重Ｐが分力Ｐ１、Ｐ２に分けられる。ｘ、ｙは前記０．０５〜０．２ｍｍの隙間である。
【００１８】
図７は、補強材３０２に高電圧部であるストロボ用基板７０１とストロボ用コンデンサー７０２を取付けた状態図である。本発明はレンズ鏡筒１０１上部からの荷重Ｐを省スペースで係止された絶縁性補強材３０２により補強材の中央部に位置するレンズ鏡筒１０１対し外力を伝達せず、且つ電子部品を取付けることが出来る。
【００１９】
図８は、本発明の他の実施形態である。この実施形態では、補強部材３０２に機械的強度を必要とする三脚取付部８０１およびストラップ取付部８０２を形成している。このように構成することで、部品点数を削減できる。
【００２０】
以上説明したように、本発明によれば、下記効果が得られる。
【００２１】
本体サイズを大きくせずに、高強度の補強を行うことが出来、且つ絶縁部材の補強部材に高電圧部品、マイク、スピーカー等の電気部品の半田部を絶縁材（たとえば絶縁性ボンド）で短絡防止を行うことなく、該半田部を露出したまま該補強部材に取付可能とする。
【００２２】
三脚取付部、ストラップ取付部などの機能形状を取り込むことが出来、カメラ本体の軽量化および部品点数の削減を図ることが出来る。
【図面の簡単な説明】
【００２３】
【図１】実施例の全体図
【図２】図１全体図の透視図
【図３】レンズ鏡筒１０１周囲の主要部品図
【図４】図３の組立図
【図５】図４の三面図
【図６】補強構造を説明する図
【図７】ストロボ用コンデンサーを取付けた状態を説明する図
【図８】他の実施形態の補強部材を説明する図
【符号の説明】
【００２４】
１０１  レンズ鏡筒
１０７  内蔵ストロボ
１０８  附属品取付座
２０１  発光部
２０２  回動軸
３０１  メインシャーシ
３０２  絶縁性補強部材
３０２ａ  スピーカー取付座
３０３  スピーカー
４０３  地板
８０１  三脚取付部
８０２  ストラップ取付部
【図１】
2008268653.tif 000003
【図２】
2008268653.tif 000004
【図３】
2008268653.tif 000005
【図４】
2008268653.tif 000006
【図５】
2008268653.tif 000007
【図６】
2008268653.tif 000008
【図７】
2008268653.tif 000009
【図８】
2008268653.tif 000010